(57)【特許請求の範囲】
【請求項１】
クランク軸からのトルク伝達によりカム軸が開閉する吸気弁及び排気弁のうち少なくとも一方のバルブタイミングを調整する内燃機関のバルブタイミング調整装置であって、
内部へ潤滑流体を導入するための導入孔を有し、前記クランク軸及び前記カム軸のうち一方と連動して回転する第一回転体と、
前記クランク軸及び前記カム軸のうち他方と連動して回転する第二回転体と、
前記第一回転体及び前記第二回転体のうち少なくとも一方に設けられる内歯車部と、
前記内歯車部に噛合しつつ遊星運動することにより前記第一回転体と前記第二回転体との間の相対回転位相を変化させる遊星歯車と、
前記遊星歯車を内周側から自転自在に支持し、前記遊星歯車の公転方向へ回転する遊星枠と、
を備え、
前記導入孔は、前記潤滑流体が流通する流路面積を絞る絞り部と前記遊星枠の外周側へ向かって前記潤滑流体を案内する案内部とを有し、
前記絞り部は、前記カム軸側から潤滑流体を前記第一回転体へ供給する供給孔と前記案内部とを連通する扁平な長孔状であることを特徴とするバルブタイミング調整装置。
【請求項２】
前記遊星枠は筒状に形成されることを特徴とする請求項１に記載のバルブタイミング調整装置。
【請求項３】
前記導入孔は、前記内歯車部の周方向において複数設けられることを特徴とする請求項１又は２に記載のバルブタイミング調整装置。
【請求項４】
前記潤滑流体は前記内燃機関用の潤滑流体であることを特徴とする請求項１〜３のいずれか一項に記載のバルブタイミング調整装置。
【請求項５】
前記潤滑流体は、前記遊星歯車を挟んで前記導入孔とは反対側から外部へ排出されることを特徴とする請求項１〜４のいずれか一項に記載のバルブタイミング調整装置。
【請求項６】
前記第一回転体は、前記内歯車部としての第一内歯車部を有し、
前記第二回転体は、前記第一内歯車部から軸方向へずれて位置する前記内歯車部としての第二内歯車部を有し、
前記遊星歯車は、第一外歯車部及び第二外歯車部を有し、前記第一外歯車部及び前記第二外歯車部がそれぞれ前記第一内歯車部及び前記第二内歯車部に噛合しつつ一体に遊星運動することにより前記相対回転位相を変化させることを特徴とする請求項１〜５のいずれか一項に記載のバルブタイミング調整装置。
【請求項７】
前記カム軸と連動して回転する前記第一回転体は前記遊星歯車に係合し、
前記クランク軸と連動して回転する前記第二回転体は前記内歯車部を有し、当該内歯車部に噛合する前記遊星歯車が遊星運動に伴い前記第一回転体を押圧することにより前記相対回転位相が変化することを特徴とする請求項１〜６のいずれか一項に記載のバルブタイミング調整装置。
【請求項８】
前記遊星枠に与える前記公転方向への回転トルクを制御する制御ユニットを備えることを特徴とする請求項１〜７のいずれか一項に記載のバルブタイミング調整装置。
【請求項９】
前記制御ユニットは、前記回転トルクを発生する電動モータを有することを特徴とする請求項８に記載のバルブタイミング調整装置。
【発明の詳細な説明】
【技術分野】
【０００１】
本発明は、クランク軸からのトルク伝達によりカム軸が開閉する吸気弁及び排気弁のうち少なくとも一方のバルブタイミングを調整する内燃機関のバルブタイミング調整装置に関する。
【背景技術】
【０００２】
従来、クランク軸及びカム軸とそれぞれ連動して回転する二つの回転体間の相対回転位相を変化させることにより、バルブタイミングを調整するバルブタイミング調整装置が知られている。例えば特許文献１には、遊星歯車を主体とする差動歯車機構により二つの回転体間の相対回転位相を変化させるバルブタイミング調整装置が開示されている。
【０００３】
特許文献１に開示のように差動歯車機構を用いる場合、内燃機関の運転状態に追従する当該機構の作動頻度は極めて高くなることから、構成歯車の噛合部分等では磨耗が生じ易い。そこで特許文献１に開示の装置では、カム軸の中空の中央螺子を通じて装置内部へ潤滑油を導入するようにしている。
【０００４】
【特許文献１】米国特許第６６３７３８９Ｂ２号明細書
【発明の開示】
【発明が解決しようとする課題】
【０００５】
しかし、特許文献１に開示の装置では、カム軸からその連動回転体の中心孔へ潤滑油が導入されるようになっており、さらに当該中心孔には、遊星歯車を内周側から支持する遊星枠の中心孔が連通している。そのため、導入圧を受けた潤滑油は遊星枠の内周側へと流入し易く、遊星枠の外周側の遊星歯車と他の歯車との噛合部分等、要潤滑部分へは潤滑油が達し難くなっている。
【０００６】
尚、潤滑油の導入圧を低下させることにより遊星枠の内周側への油流入を抑えることはできるが、そうした低圧条件ではかえって潤滑油が差動歯車機構の隅々にまで行き渡らなくなる。また、遊星枠の周壁部に油路を設けて遊星歯車側へ潤滑油を導くことも可能であるが、特許文献１に開示の如く遊星枠と遊星歯車との間にベアリングを配置する場合等には、油路の出口部の開口面積を十分に確保することができず、その結果、潤滑油が差動歯車機構の隅々にまで行き渡らなくなる。
本発明は、上述の問題に鑑みてなされたものであって、その目的は、内部潤滑性に優れるバルブタイミング調整装置を提供することにある。
【課題を解決するための手段】
【０００７】
請求項１に記載の発明であるバルブタイミング調整装置において、導入孔は、遊星枠の外周側へ向かって潤滑流体を案内する。この案内作用によれば、遊星枠が内周側から支持する遊星歯車と内歯車部との噛合部分へ潤滑流体を確実に到達させることができる。したがって、高い内部潤滑性を実現することができる。さらにこの導入孔は、潤滑流体が流通する流路面積を絞る絞り部と遊星枠の外周側へ向かって潤滑流体を案内する案内部とを有し、絞り部はカム軸側から潤滑流体を第一回転体へ供給する供給孔と案内部とを連通する扁平な長孔状となっている。これにより、潤滑油は絞り部の作用によって流量制限を受けるので、バルブタイミング装置へ導入される潤滑流体の流量を必要最小限に抑えることができる。したがって、内燃機関に与える影響が小さくて済む。
【０００８】
請求項２に記載の発明において遊星枠は筒状に形成されるが、導入孔の案内作用によって潤滑流体は遊星枠の外周側へ向かうので、遊星枠の内周側へは潤滑流体が流入し難くなる。したがって、遊星枠の周壁部に流路を設けなくても、遊星歯車と内歯車部との噛合部分へ十分に潤滑流体を供給できる。
請求項３に記載の発明によると、遊星枠の外周側へ向かって潤滑流体を案内する導入孔は内歯車部の周方向において複数設けられるので、遊星歯車と内歯車部との噛合部分の周方向における潤滑性が向上する。
【０００９】
潤滑流体としては、例えば請求項４に記載の発明の如く内燃機関用の潤滑流体を用いて流体供給ポンプ、流体フィルタ等の流通系の共通化を図ってもよいし、内燃機関用以外の用途の潤滑流体を用いてもよい。
【００１０】
請求項５に記載の発明によると、潤滑流体は、遊星歯車を挟んで導入孔とは反対側から外部へ排出されるので、遊星歯車と内歯車部との間の磨耗等によって装置内部に生じた異物が装置内部に滞留することを防止できる。
尚、遊星歯車に対して導入孔と同じ側から潤滑流体を排出させることも可能である。
【００１１】
請求項６に記載の発明によると、軸方向へ互いにずれて位置する第一、第二内歯車部にそれぞれ噛合する第一、第二外歯車部を持った遊星歯車は、遊星枠によって内周側から支持される。それ故、導入孔の案内作用によって潤滑流体を遊星枠の外周側へと向かわせて、第一内、外歯車部の噛合部分や第二内、外歯車部の噛合部分に確実に到達させることができる。さらに請求項６に記載の発明では、遊星歯車の第一、第二外歯車部をそれぞれ第一、第二内歯車部に噛合させつつ一体に遊星運動させることにより第一、第二回転体間の相対回転位相を変化させるので、それら各歯車部の径を小さくしつつ大きな減速比を得ることができる。
【００１２】
尚、請求項７に記載の発明の如く、第二回転体の内歯車部に噛合する遊星歯車が遊星運動に伴い第一回転体を押圧することで第一、第二回転体間の相対回転位相が変化する構成を採用してもよい。こうした比較的簡素な構成においても、導入孔の案内作用により潤滑流体を遊星歯車と内歯車部との噛合部分へと確実に導いて、高い内部潤滑性を得ることができる。
【００１３】
請求項８に記載の発明によると、遊星枠には、制御ユニットにより制御された回転トルクが遊星歯車の公転方向に与えられる。この回転トルクを受けて遊星歯車は遊星運動し、第一、第二回転体間の相対回転位相変化を生じさせるので、制御ユニットの回転トルク制御によって当該相対回転位相、さらにはバルブタイミングを正確に調整することができる。そして特に、遊星運動する遊星歯車とそれに噛み合う内歯車部との間が十分に潤滑されて磨耗が抑制される状態にあるので、バルブタイミングの正確な調整を長期に亘って実現することができる。
【００１４】
請求項９に記載の発明によると、制御ユニットは、遊星枠に与える回転トルクを電動モータにより発生する。このように、高精度に電気制御可能な電動モータを用いることでバルブタイミングの調整精度を高めることができる。
尚、制御ユニットは、電動モータにより回転トルクを発生させるもの以外にも、例えば油圧モータや電磁ブレーキ装置等による回転トルクを発生させるものであってもよい。
【発明を実施するための最良の形態】
【００１５】
以下、本発明の複数の実施形態を図面に基づいて説明する。
（第一実施形態）
図１は、本発明の第一実施形態によるバルブタイミング調整装置１を示している。バルブタイミング調整装置１は、内燃機関のクランク軸からカム軸２へ機関トルクを伝達する伝達系に設けられている。バルブタイミング調整装置１は、クランク軸とカム軸２との間の相対回転位相を変化させることにより、内燃機関の吸気弁のバルブタイミングを調整する。
バルブタイミング調整装置１は、駆動側回転体１０、従動側回転体２０、制御ユニット３０、遊星枠４０、遊星歯車５０を備えている。
【００１６】
駆動側回転体１０と従動側回転体２０とは共同して、遊星枠４０及び遊星歯車５０等の収容空間１１を内部に形成している。
図１，２に示すように駆動側回転体１０は、有底円筒状の歯車部材１２と、二段円筒状のスプロケット１３とを同軸に組み合わせて構成されている。歯車部材１２の周壁部は、歯先円面が歯底円の内周側にある駆動側内歯車部１４を形成している。歯車部材１２は、駆動側内歯車部１４の外周壁がスプロケット１３の大径部１５の内周壁に嵌合した状態でスプロケット１３に螺子留めされている。スプロケット１３において大径部１５と小径部１６との間を繋ぐ段差部１７には、外周側へ突出する形態で複数の歯１９が設けられており、これらの歯１９とクランク軸の複数の歯との間で環状のタイミングチェーンが巻き掛けられる。故に、クランク軸から出力された機関トルクがタイミングチェーンを通じてスプロケット１３へ入力されるときには、駆動側回転体１０はクランク軸と連動して、当該軸に対する相対位相を保ちつつ回転軸線Ｏ周りに回転する。このとき駆動側回転体１０の回転方向は、本実施形態では図２の反時計方向となる。
【００１７】
図１，３に示すように従動側回転体２０は有底円筒状であり、駆動側回転体１０及びカム軸２と同軸に配置されている。従動側回転体２０の底壁部は、カム軸２の一端部にボルト固定される固定部２１を形成している。このボルト固定によって従動側回転体２０は、カム軸２と連動して当該軸２に対する相対回転位相を保ちつつ回転軸線Ｏ周りに回転可能となっており、また駆動側回転体１０に対して相対回転可能となっている。尚、以下の説明では、駆動側回転体１０に対して従動側回転体２０が進角する相対回転方向を進角方向Ｘといい、駆動側回転体１０に対して従動側回転体２０が遅角する相対回転方向を遅角方向Ｙという。
【００１８】
従動側回転体２０の周壁部は、歯先円が歯底円の内周側にある従動側内歯車部２２を形成している。ここで、従動側内歯車部２２の内径は駆動側内歯車部１４の内径よりも小さく設定され、従動側内歯車部２２の歯数は駆動側内歯車部１４の歯数よりも少なく設定されている。従動側内歯車部２２の外周壁はスプロケット１３における小径部１６及び段差部１７の内周壁に嵌合しており、それによって従動側回転体２０が駆動側回転体１０を内周側から相対回転自在に支持している。従動側内歯車部２２の固定部２１とは反対側端部には、外周側へ突出するフランジ部２３が設けられている。フランジ部２３は、軸方向において向き合う駆動側内歯車部１４の端面２４と段差部１７の端面２５との間に挟持されている。この挟持形態によって、従動側内歯車部２２と駆動側内歯車部１４とが軸方向にずれて隣接していると共に、従動側回転体２０に対する駆動側回転体１０の軸方向相対変位が規制されている。
【００１９】
図１に示すように制御ユニット３０は、電動モータ３２、通電制御回路３３等から構成されている。電動モータ３２は、回転体１０，２０を挟んでカム軸２とは反対側に配置されている。電動モータ３２は例えばブラシレスモータ等であり、内燃機関にステー（図示しない）を介して固定されるモータケース３１並びにモータケース３１によって正逆回転自在に支持されるモータ軸３４を有している。通電制御回路３３はマイクロコンピュータ等の電気回路であり、モータケース３１の外部又は内部に配置されて電動モータ３２と電気的に接続されている。通電制御回路３３は、電動モータ３２のコイル（図示しない）への通電を内燃機関の運転状態等に応じて制御する。この通電制御によって電動モータ３２は、モータ軸３４の周りに回転磁界を形成し、当該回転磁界の方向に応じた方向Ｘ，Ｙ（図４参照）の回転トルクをモータ軸３４から出力する。
【００２０】
図１，４に示すように、遊星枠４０の入力部４１は回転体１０，２０及び軸２，３４と同軸の円筒状であり、継手４２を介してモータ軸３４に固定されている。この固定によって遊星枠４０は、モータ軸３４と連動して回転軸線Ｏ周りに回転可能となっており、また駆動側回転体１０に対しては相対回転可能となっている。入力部４１は、歯車部材１２の底壁部１８を軸方向へ貫通する中心孔１９の内周側に配置されており、ベアリング４３を介して駆動側回転体１０を内周側から支持している。
【００２１】
図１，２に示すように、遊星枠４０において入力部４１よりも固定部２１側の偏心部４４は、回転体１０，２０及び軸２，３４に対して外周壁が偏心する円筒状である。偏心部４４は、遊星歯車５０を軸方向へ貫通する中心孔５１の内周側に配置されており、ベアリング４５を介して遊星歯車５０を内周側から支持している。この支持により遊星歯車５０は、偏心部４４の外周壁の中心軸線である偏心軸線Ｐ周りに自転可能且つ偏心部４４の回転方向へ公転可能となっている。即ち遊星歯車５０は、遊星運動可能に配置されている。
【００２２】
図１〜３に示すように遊星歯車５０は二段円筒状であり、歯先円が歯底円の外周側にある駆動側外歯車部５２及び従動側外歯車部５４をそれぞれ大径部分及び小径部分によって形成している。ここで、駆動側外歯車部５２の歯数は駆動側内歯車部１４の歯数よりも所定数Ｎ（ここでは一つ）少なく設定され、また従動側外歯車部５４の歯数は従動側内歯車部２２よりも所定数Ｎ少なく設定されている。したがって、従動側外歯車部５４の歯数は駆動側外歯車部５２の歯数よりも少ない。駆動側外歯車部５２は駆動側内歯車部１４の内周側に配置されて、当該歯車部１４の一部と噛み合っている。また、駆動側外歯車部５２よりも固定部２１側の従動側外歯車部５４は従動側内歯車部２２の内周側に配置されて、当該歯車部２２の一部と噛み合っている。
【００２３】
以上の構成により回転体１０，２０の内部空間１１には、偏心部４４の外周側で駆動側内歯車部１４と従動側内歯車部２２とが遊星歯車５０を介して連繋してなる差動歯車機構６０が形成されている。そしてこの差動歯車機構６０において、遊星枠４０が駆動側回転体１０に対して相対回転しないときには、遊星歯車５０が外歯車部５２，５４と内歯車部１４，２２との噛合位置を保ちつつ回転体１０，２０と共に回転する。これにより回転体１０，２０間の相対回転位相が保持されるので、バルブタイミングも保持される。一方、回転トルクの方向Ｘへの増大等に伴い遊星枠４０が駆動側回転体１０に対して進角方向Ｘへ相対回転するときには、遊星歯車５０が外歯車部５２，５４と内歯車部１４，２２との噛合位置を変化させつつ遊星運動することにより、従動側回転体２０が駆動側回転体１０に対して進角方向Ｘへ相対回転する。したがって、バルブタイミングが進角側へ変移する。また一方、回転トルクの方向Ｙへの増大等に伴い遊星枠４０が駆動側回転体１０に対して遅角方向Ｙへ相対回転するときには、遊星歯車５０が外歯車部５２，５４と内歯車部１４，２２との噛合位置を変化させつつ遊星運動することにより、従動側回転体２０が駆動側回転体１０に対して遅角方向Ｙへ相対回転する。したがって、バルブタイミングが遅角側へ変移する。
【００２４】
次に、バルブタイミング調整装置１の特徴部分について詳しく説明する。
図１，５に示すように固定部２１には、潤滑流体である内燃機関用潤滑油を回転体１０，２０の内部空間１１へ導入するために二つの導入孔７０が形成されている。これらの導入孔７０は、回転軸線Ｏに関して対称となる二箇所にそれぞれ設けられており、従動側内歯車部２２の周方向と一致する固定部２１の周方向において等間隔に並んでいる。各導入孔７０において上流側の絞り部７２は、固定部２１の径方向へ長く且つ扁平な長孔状であり、カム軸２の端面と接する固定部２１の外面２８に開口している。ここで絞り部７２の外面２８における開口部は、カム軸２においてポンプ４から潤滑油が吐出供給される二つの供給孔５のうち対応するものに連通しており、また絞り部７２の流路面積は、当該対応供給孔５の流路面積よりも絞られている。各導入孔７０において絞り部７２よりも下流側の案内部７４は固定部２１の軸方向へ延びる円筒孔状であり、偏心部４４の端面と軸方向で向き合う固定部２１の内面２９に開口している。ここで案内部７４の内面２９における開口部は、図１に二点鎖線で且つ図５に破線で示すように、偏心部４４の軸方向への投影よりも外周側に設けられている。
【００２５】
図１，４に示すように歯車部材１２において、差動歯車機構６０を挟んで固定部２１とは反対側に位置する底壁部１８には、回転体１０，２０の内部空間１１から外部へと潤滑油を排出するための排出孔８０が九つ形成されている。これらの排出孔８０は、駆動側内歯車部１４の周方向と一致する底壁部１８の周方向において互いに設定間隔をあけて並んでいる。各排出孔８０は円筒孔状であり、底壁部１８を軸方向へ貫通している。
【００２６】
このような構成のバルブタイミング調整装置１において、各供給孔５への供給潤滑油は各導入孔７０へと流入し、それら各孔７０の絞り部７２を通過する。このとき潤滑油は、絞り部７２の作用によって流量制限を受けるので、潤滑油量を必要最小限に抑えて内燃機関の潤滑に与える影響を可及的に小さくすることができる。また、各導入孔７０において絞り部７２を通過した潤滑油は、案内部７４を流動して回転体１０，２０の内部空間１１へと導かれる。このとき潤滑油は、偏心部４４の軸方向投影よりも外周側に位置する案内部７４の案内作用によって、各導入孔７０から偏心部４４の外周側へと向かって噴出される。これによって潤滑油は、偏心部４４の内周側へは流入し難くなる一方、差動歯車機構６０が形成された偏心部４４の外周側では底壁部１８側へ向かって流動する。この流動経路上には、内、外歯車部２２，５４の噛合部分、さらには内、外歯車部１４，５２の噛合部分が存在するので、潤滑油はそれら噛合部分へと確実に到達し得る。したがって、差動歯車機構６０の潤滑性を高めて磨耗の発生を抑制することができる。
【００２７】
内、外歯車部２２，５４の噛合部分並びに内、外歯車部１４，５２の噛合部分を順次潤滑して底壁部１８の近傍へ達した潤滑油は、当該底壁部１８に設けられた排出孔８０のいずれかから排出される。このようにバルブタイミング調整装置１では、各導入孔７０から差動歯車機構６０を経由して各排出孔８０へと至る潤滑油流れを生じさせることができるので、磨耗粉等の異物が回転体１０，２０の内部に滞留し難くなる。したがって、異物による差動歯車機構６０の作動不良、破損等を防止することができる。
以上、バルブタイミング調整装置１によれば、耐久性が高くなるので、制御ユニット３０の回転トルク制御に従う正確なバルブタイミング調整を長期に亘って実現することができる。
【００２８】
尚、ここまで説明した第一実施形態では、従動側回転体２０が特許請求の範囲に記載の「第一回転体」に相当し、駆動側回転体１０が特許請求の範囲に記載の「第二回転体」に相当する。また、従動側内歯車部２２が特許請求の範囲に記載の「内歯車部」及び「第一内歯車部」に相当し、駆動側内歯車部１４が特許請求の範囲に記載の「内歯車部」及び「第二内歯車部」に相当する。さらに、従動側外歯車部５４が特許請求の範囲に記載の「第一外歯車部」に相当し、駆動側外歯車部５２が特許請求の範囲に記載の「第二外歯車部」に相当する。
【００２９】
（第二実施形態）
本発明の第二実施形態は、図６，７に示すように第一実施形態の変形例であり、第一実施形態と実質的に同一の構成部分には同一の符号を付すことによって、重複する説明を省略する。
第二実施形態のバルブタイミング調整装置１００において従動側回転体１１０は、周壁部１１１によって従動側内歯車部２２を形成しておらず、その代わりに、周壁部１１１のフランジ部２３側の端面に開口する係合孔１１２を複数有している。ここで各係合孔１１２は円筒孔状であり、周壁部１１１の周方向において等間隔に設けられている。
【００３０】
また、バルブタイミング調整装置１００において遊星歯車１２０は、従動側外歯車部５４を形成する小径部分を有しておらず、その代わりに、駆動側外歯車部５２の周壁部１１１との対向端面から突出する係合突起１２２を係合孔１１２と同数有している。ここで各係合突起１２２は円柱状であり、駆動側外歯車部５２の周方向において等間隔に設けられている。そして、各係合突起１２２は対応する係合孔１１２へ突入しており、それによって回転体１０，１１０の内部空間１１には、偏心部４４の外周側で駆動側外歯車部５２と周壁部１１１とが遊星歯車１２０を介して連繋してなる差動歯車機構１３０が形成されている。
【００３１】
そしてこの差動歯車機構１３０において、遊星枠４０が駆動側回転体１０に対して相対回転しないときには、遊星歯車１２０が駆動側外歯車部５２と駆動側内歯車部１４との噛合位置を保ちつつ駆動側回転体１０と共に回転する。すると、各係合突起１２２が各係合孔１１２を回転方向へ押圧し、その押圧を受けて従動側回転体１１０が駆動側回転体１０との間の相対回転位相を保ちつつ回転するので、バルブタイミングが保持される。一方、遊星枠４０が駆動側回転体１０に対して遅角方向Ｙへ相対回転するときには、遊星歯車１２０が駆動側外歯車部５２と駆動側内歯車部１４との噛合位置を変化させつつ遊星運動することにより、各係合孔１１２に対する各係合突起１２２の回転方向への押圧力が増大する。これにより従動側回転体１１０が駆動側回転体１０に対して進角方向Ｘへ相対回転するので、バルブタイミングが進角側へ変移する。また一方、遊星枠４０が駆動側回転体１０に対して進角方向Ｘへ相対回転するときには、遊星歯車１２０が駆動側外歯車部５２と駆動側内歯車部１４との噛合位置を変化させつつ遊星運動することにより、各係合突起１２２が各係合孔１１２を回転の逆方向へ押圧する。これにより従動側回転体１１０が駆動側回転体１０に対して遅角方向Ｙへ相対回転するので、バルブタイミングが遅角側へ変移する。
【００３２】
このようなバルブタイミング調整装置１００においても、図６に示すように、偏心部４４の外周側へ向かって潤滑油を案内する二つの導入孔７０（但し、絞り部７２は固定部２１と周壁部１１１とに跨って設けられ、案内部７４は周壁部１１１を軸方向へ貫通している）と、それら導入孔７０とは差動歯車機構１３０を挟んで反対側から潤滑油を排出する九つの排出孔８０とが設けられている。したがって、第一実施形態と同様な効果を享受することができる。
尚、ここまで説明した第二実施形態では、従動側回転体１１０が特許請求の範囲に記載の「第一回転体」に相当し、駆動側回転体１０が特許請求の範囲に記載の「第二回転体」に相当し、駆動側内歯車部１４が特許請求の範囲に記載の「内歯車部」に相当する。
【００３３】
以上、本発明の複数の実施形態について説明したが、本発明はそれらの実施形態に限定して解釈されるものではなく、その要旨を逸脱しない範囲内において種々の実施形態に適用可能である。
例えば上述の実施形態では、吸気弁のバルブタイミングを調整するバルブタイミング調整装置１，１００について説明したが、本発明は、排気弁のバルブタイミングを調整する装置や、吸気弁及び排気弁の双方のバルブタイミングを調整する装置に適用してもよい。
【００３４】
また、上述の実施形態では、導入孔７０を二つ、また排出孔８０を九つ設けているが、導入孔７０及び排出孔８０の数については要求に応じて適宜設定することができる。
さらに上述の実施形態では、導入孔７０を長孔状の絞り部７２と円筒孔状の案内部７４とから構成し、また排出孔８０を円筒孔状に形成しているが、導入孔７０及び排出孔８０の形状については要求に応じて適宜設定することができる。例えば、図８に変形例（同図は第一実施形態の変形例）を示すように導入孔７０の案内部７４を、回転軸線Ｏに対して下流側ほど外周側へ傾斜する形状に形成してもよいし、図示はしないが、絞り部７２を設けずに案内部７４を供給孔５と直接連通させてもよい。
【００３５】
またさらに上述の実施形態では、導入孔７０に加え、遊星枠４０の最外周縁よりも内周側へ向かって潤滑油を案内する別の導入孔を設けてもよい。この場合、例えば遊星枠４０の中心孔の内周側へ向かって潤滑油を案内することで、継手４２等の潤滑が可能となる。
加えて上述の実施形態では、差動歯車機構６０，１３０を挟んで導入孔７０とは反対側に排出孔８０を設けているが、差動歯車機構６０，１３０に対して軸方向の導入孔７０と同じ側に排出孔を設けてもよい。尚、この場合、排出孔を従動側回転体２０，１００に設けてもよいし、あるいは駆動側回転体１０に設けてもよい。
さらに加えて上述の実施形態では、回転体１０がクランク軸と連動し、回転体２０，１１０がカム軸２と連動するバルブタイミング調整装置１，１００について説明したが、回転体１０がカム軸２と連動し、回転体２０，１１０がクランク軸と連動するようにしてもよい。
【図面の簡単な説明】
【００３６】
【図１】第一実施形態によるバルブタイミング調整装置を示す図であって、図２のI−I線断面図に相当する。
【図２】図１のII−II線断面図である。
【図３】図１のIII−III線断面図である。
【図４】図１のIV−IV線断面図である。
【図５】図１のバルブタイミング調整装置の側面図である。
【図６】第二実施形態によるバルブタイミング調整装置を示す図であって、図１に対応する断面図である。
【図７】図６のVII−VII線断面図である。
【図８】第一実施形態によるバルブタイミング調整装置の変形例を示す図であって、図１に対応する断面図である。
【符号の説明】
【００３７】
１，１００  バルブタイミング調整装置、２  カム軸、４  ポンプ、５  供給孔、１０  駆動側回転体（第二回転体）、１１  空間、１２  歯車部材、１３  スプロケット、１４  駆動側内歯車部（内歯車部、第二内歯車部）、１８  底壁部、２０，１１０  従動側回転体（第一回転体）、２１  固定部、２２  従動側内歯車部（内歯車部、第一内歯車部）、３０  制御ユニット、３２  電動モータ、３３  通電制御回路、３４  モータ軸、４０  遊星枠、４１  入力部、４４  偏心部、５０，１２０  遊星歯車、５２  駆動側外歯車部（第二外歯車部）、５４  従動側外歯車部（第一外歯車部）、６０，１３０  差動歯車機構、７０  導入孔、７２  絞り部、７４  案内部、８０  排出孔、１１１  周壁部、１１２  係合孔、１２２  係合突起
【図１】
0004419091.tif 000002
【図２】
0004419091.tif 000003
【図３】
0004419091.tif 000004
【図４】
0004419091.tif 000005
【図５】
0004419091.tif 000006
【図６】
0004419091.tif 000007
【図７】
0004419091.tif 000008
【図８】
0004419091.tif 000009